(57)【要約】【課題】門松を軽量，小型化したことにより製作，搬送，設置コストを廉価にし、かつ、飾り物を代えることによって門松以外の用途にも採用可能であり、使用後の焼却時にも有害ガスが発生せず、安全で汎用性の大きな飾り門松を提供することを目的とする。【解決手段】生地としての縮緬を紙管上に巻着してなる１本の円筒状部材１ａの周囲に、飾り物１４と造花の松１２を接着固定し、該円筒状部材１ａの下方周縁部にコモ９を縛り付けて固定してなる飾り門松１３を基本構成としている。大径の紙管１７に保水性を有する植生盤２３を嵌合するとともに、該植生盤２３内に小径の紙管１８を嵌合し、該小径の紙管１８内に生地としての縮緬を紙管上に巻着してなる１本の円筒状部材１ａを挿入固定し、大径の紙管１７内にウレタン樹脂２０を充填してから裏蓋２２を用いて密閉封止する。【選択図】図１
2005177117.tif 000002
【特許請求の範囲】
【請求項１】
生地としての縮緬を紙管上に巻着してなる１本の円筒状部材の周囲に、飾り物と造花の松を接着固定し、該円筒状部材の下方周縁部にコモを縛り付けて固定してなることを特徴とする飾り門松。
【請求項２】
生地としての縮緬を紙管上に巻着してなる１本の円筒状部材の周囲に、飾り物と造花の松を接着固定し、大径の有底紙管内に該円筒状部材を挿入してから空間部にウレタン樹脂を充填して蓋体を用いて密閉封止し、この有底紙管の下方周縁部にコモを縛り付けて固定してなることを特徴とする飾り門松。
【請求項３】
大径の紙管に保水性を有する植生盤を嵌合するとともに、該植生盤内に小径の紙管を嵌合し、該小径の紙管内に生地としての縮緬を巻着してなる１本の円筒状部材を挿入固定し、該円筒状部材の周囲に飾り物を接着固定するとともに植生盤上に生花を植設してなることを特徴とする飾り門松。
【請求項４】
大径の紙管に保水性を有する植生盤を嵌合するとともに、該植生盤内に小径の紙管を嵌合し、小径の紙管内に生地としての縮緬を紙管上に巻着してなる１本の円筒状部材を挿入固定し、大径の紙管内にウレタン樹脂を充填してから裏蓋を用いて密閉封止して、円筒状部材の周囲に飾り物を接着固定するとともに植生盤上に生花を植設してなることを特徴とする飾り門松。
【請求項５】
大径の紙管と植生盤間に防水シートを挟み込んでなる請求項３又は４に記載の飾り門松。
【請求項６】
縮緬に代えて他の華やかな錦柄の布生地を用いる請求項１，２，３，４又は５に記載の飾り門松。
【発明の詳細な説明】
【技術分野】
【０００１】
本発明はお正月用の門松その他の縁起物のオブジェとして使用可能な飾り門松に関し、特には縮緬で被覆した紙管の１本立の基本構成を採用したことにより、軽量で華やかであるとともに任意の飾り付けを可能とした飾り門松に関するものである。
【背景技術】
【０００２】
従来から知られている門松は、通常自然の松竹梅をコモで巻き、縄飾り等を施して門前に飾る大がかりなものであり、近時は自然の松竹梅に代えてプラスチックを利用した製品も利用に供されている。更に従来からミニチュア門松と呼称される製品もあるが、自然の松竹梅その他の素材を小さく纏めたものであったり、プラスチック製品，紙や発泡スチロールで作った製品も知られている。
【０００３】
特許文献１には、緑色の紙を巻いた紙管の一方の端を斜めに切り、切り口を前面から見ると縦長の楕円形となる紙管を竹に模した長短３本を１括りにし紙管と、３本の紙管のうち、最も長い紙管の３分の１ほどの長さで３本１括りしたものが、内周に３方に接するようにはめこまれる内径を有した別の紙管の外周をいぐさで編んだござで巻き、いぐさで編んだ縄で飾り縛りして底部に円型の紙をはめ込んだ台座を利用した無公害簡易門松が記載されている。
【０００４】
更に特許文献２には、門松を発泡スチロールや紙や合成樹脂で作り、各部品の表面に各部分の写真や絵を印刷や貼り付けをし、捨てるときには表面を簡単にはがせて、発泡スチロールや紙や合成樹脂に分別し、リサイクルに利用できる軽くて風雨に強いリサイクル可能な組立て式門松が記載されている。
【特許文献１】実用新案登録第３０６２４１０号
【特許文献２】特開２００２−２３８７３３号公報
【発明の開示】
【発明が解決しようとする課題】
【０００５】
日本古来からある門松は、大きな形状であるとともに重量も大きいため、搬送，設置及び撤去作業が大がかりであるとともに専門技術を必要とすることから製作コストが高価であり、門松を飾れる敷地とか門を有しない家庭では利用することができないという課題がある。また、自然素材は通常手に入れにくく、この自然素材を用いたミニュチュア門松は、素材の鮮度を維持するために消費者は水の補給及び管理が必要であるという問題がある。更にプラスチック製の門松は焼却する際に有害ガスが発生しやすいという難点がある。
【０００６】
本発明は上記に鑑みてなされたものであって、門松を軽量，小型化したことにより製作，搬送，設置コストが廉価であり、飾り物を代えることによって門松以外の用途にも採用可能であるとともに使用後の焼却時にも有害ガスが発生せず、安全で汎用性の大きな飾り門松を提供することを目的としている。
【課題を解決するための手段】
【０００７】
本発明は上記目的を達成するために、生地としての縮緬を紙管上に巻着してなる１本の円筒状部材の周囲に、飾り物と造花の松を接着固定し、該円筒状部材の下方周縁部にコモを縛り付けて固定してなる飾り門松を基本構成としている。また、生地としての縮緬を紙管上に巻着してなる１本の円筒状部材の周囲に、飾り物と造花の松を接着固定し、大径の有底紙管内に該円筒状部材を挿入してから空間部にウレタン樹脂を充填して蓋体を用いて密閉封止し、この有底紙管の下方周縁部にコモを縛り付けて固定してなる構成を提供する。
【０００８】
更に、大径の紙管に保水性を有する植生盤を嵌合するとともに、該植生盤内に小径の紙管を嵌合し、該小径の紙管内に生地としての縮緬を巻着してなる１本の円筒状部材を挿入固定し、該円筒状部材の周囲に飾り物を接着固定するとともに植生盤上に生花を植設してなる飾り門松、及び大径の紙管に保水性を有する植生盤を嵌合するとともに、該植生盤内に小径の紙管を嵌合し、小径の紙管内に生地としての縮緬を紙管上に巻着してなる１本の円筒状部材を挿入固定し、大径の紙管内にウレタン樹脂を充填してから裏蓋を用いて密閉封止して、円筒状部材の周囲に飾り物を接着固定するとともに植生盤上に生花を植設してなる飾り門松を提供する。そして、大径の紙管と植生盤間に防水シートを挟み込んでおり、縮緬に代えて他の華やかな錦柄の布生地を用いることもできる。
【発明の効果】
【０００９】
本発明によって得られた飾り門松によれば、従来の門松に較べて軽量であるとともに小型化されているにもかかわらず、華やかで個人の好む飾り付けも可能であり、更に縮緬に代えて他の華やかな錦柄の布生地を用いることにより、お正月用の門松としての使用だけでなく、オブジェ，縁起物，インテリア用品等にも使用できて汎用性を高めることができる。門松自体の長期保存も可能であって、毎年繰り返して使用することができる。
【００１０】
また、製品としての門松の搬送，設置及び撤去作業はきわめて簡易に行うことができる上、組付けにも専門技術を必要としないので、製作及び設置に要するコストは廉価であり、ギフト商品としての利用も可能である。特に門松を飾れる敷地とか門を有しない家庭でも簡便に利用することができる。更にプラスチック製品のように門松を焼却する際に有害ガスが発生しないので、安全である。
【００１１】
従って本発明によれば、門松を軽量，小型化したことにより製作，搬送，設置コストが廉価であり、飾り物を代えることによって門松以外の用途にも採用可能であるとともに使用後の焼却時にも有害ガスが発生せず、安全で汎用性の大きな飾り門松を提供することができる。
【発明を実施するための最良の形態】
【００１２】
以下本発明にかかる飾り門松の最良の実施形態を説明する。図１は本発明の第１実施例を示す姿図であり、この第１実施例は造花を使用するタイプの飾り門松１３である。図中の１ａは紙管上に生地としての縮緬を巻着した円筒状部材、１４は該円筒状部材１ａの周囲に固定した飾り物、１５は飾り人形、１２は造花の松、９はコモ、１０，１０は該コモ９を縛り付けている紐である。本発明では円筒状部材１ａが１本で構成されていることが大きな特徴となっている。
【００１３】
図２は本発明の第２実施例を示す姿図であり、この第２実施例は生花を使用するタイプの飾り門松２５である。図中の１ａは図１の例と同様に紙管上に生地としての縮緬を巻着した円筒状部材、１４は該円筒状部材１ａの周囲に固定した飾り物、１５は飾り人形、２６は生花、１７は大径の紙管である。本例でも円筒状部材１ａが１本で構成されている。なお、第１実施例及び第２実施例において、縮緬に代えて他の華やかな錦柄の布生地を用いることもできる。
【００１４】
第１実施例の飾り門松の製作方法を以下に説明する。先ず図３に示すように飾り片としての縮緬の生地１を丸めて図４に示すミシン目２により縫製固定して円筒状生地１ｂを作製し、図５に示すように別途に用意した紙管３に円筒状生地１ｂを概ね密着するように被せてから図６に示すように上部の斜め切断部分で縫い目４を折り返し、接着剤で固着する。そして予め用意した図７に示すフェルト片５を矢印Ａのように丸めてから図８に示すように該フェルト片５を円筒状部材１ａの上部から挿入し、図９のように接着剤６を用いて固定する。
【００１５】
次に図１０（Ａ）（Ｂ）に示すように底壁７ａを持つ大径の有底紙管７を別途に用意し、図１１（Ａ）（Ｂ）に示すように該紙管７内に前記円筒状部材１ａを挿入してから空間部にウレタン樹脂２０を充填して蓋体８を用いて密閉封止する。
【００１６】
更に図１２（Ａ）（Ｂ）に示す蓋体８の上面にカラー塗料を塗着するとともに有底紙管７の側面に両面テープ７ｂを貼着する。カラー塗料としては緑色が適当である。そして図１３（Ａ）（Ｂ）に示すように有底紙管７の下方周縁部側面にコモ９を巻き付けて複数本の紐１０，１０を用いて該コモ９を縛り付け、図１４に示すようにコモ９の上片をハサミ１１を用いて切り取って図１５の形態とし、次に図１６に示すようにコモ９に囲まれた蓋体８の上面に接着剤を用いて造花の松１２を多数本接着固定して図１７に示す飾り門松１３を得る。この飾り門松１３に図１に示す飾り物１４及び飾り人形１５を付けて第１実施例の飾り門松が完成する。
【００１７】
次に第２実施例の飾り門松の製作方法を以下に説明する。図１８は第２実施例の基台部の製造工程を示しており、先ずオアシスと呼ばれる保水性を有し、草花を挿通して支持することのできる所定面積の基板１６に大径の紙管１７を押し込んで切り取り、基板１６を大径の紙管１７内に密着嵌合する円柱状の植生盤２３に形成する。そして、円柱状に形成した植生盤２３に小径の紙管１８を押し込んで切り取り、円柱状に形成した植生盤２３に小径の紙管１８と同径の断面円形の開口部２３ａを形成する。なお、基板１６の切り取りを容易とするために、基板１６内に大径の紙管１７と同径の切込１６ａ及び小径の紙管１８と同径の切込１６ｂを形成しておいてもよい。
【００１８】
次に図１９（Ａ）に示すように、この円柱状に形成した植生盤２３にビニールその他の防水性素材からなる防水シート１９を被覆し、図１９（Ｂ）に示すように小径の紙管１８を開口部２３ａに防水シート１９とともに押し込む。その後大径の紙管１７を植生盤２３に嵌合させて、図２０に示す状態とする。なお、防水シート１９の外周部は適宜形状に折り曲げて飾り片１９ａとするとよい。
【００１９】
図２０に示す状態から天地を逆転させると図２１に示す状態となるので、小径の紙管１８の開口部を被覆している防水シート１９を破って、小径の紙管１８内に前記第１実施例で説明した円筒状部材１ａ（図９参照）を挿入して接着剤を用いて固定する。なお、防水シート１９は省略してもよく、更に小径の紙管１８を用いることなく、直接植生盤２３に円筒状部材１ａ（図９参照）を挿入して接着剤を用いて固定してもよい。
【００２０】
次に図２２に示すように、作業台２１上で小径の紙管１８内に挿入固定した円筒状部材１ａが下向きになるようにセットして、紙管１７内にウレタン樹脂２０を充填してから図２３に示すように裏蓋２２を用いて密閉封止して図２４に示す飾り門松２５を得る。この飾り門松２５に図２に示す飾り物１４，飾り人形１５及び植生盤２３上に生花２６を植設して第２実施例の飾り門松２５が完成する。
【００２１】
上記各実施例では、紙管上に生地としての縮緬を巻着して円筒状部材１ａを製作しているが、縮緬に代えて他の素材、例えば華やかな錦柄の布生地を用いることもできる。この場合にはお正月用の門松としての使用だけでなく、クリスマスツリーのように好みの飾り付けを施したり、オブジェ，縁起物，インテリア用品として使用することもできる。
【産業上の利用可能性】
【００２２】
以上詳細に説明したように、本発明によって得られた飾り門松は軽量で小型化されているとともに華やかで個人の好む飾り付けもできるので、お正月用の門松としての使用だけでなく、オブジェ，縁起物，インテリア用品等にも使用できて汎用性を高めることができる。製品としての門松の搬送，設置及び撤去作業は簡易に行えるので、製作及び設置に要するコストは廉価であり、ギフト商品としての利用も可能であって門松を飾れる敷地とか門を有しない家庭でも簡便に利用することができる。
【図面の簡単な説明】
【００２３】
【図１】本発明の第１実施例を示す姿図。
【図２】本発明の第２実施例を示す姿図。
【図３】本発明の第１実施例の製作方法を説明するための部品図。
【図４】同第１実施例の製作方法を説明するための部品図。
【図５】同第１実施例の製作方法を説明するための部品図。
【図６】同第１実施例の製作方法を説明するための部品図。
【図７】同第１実施例の製作方法を説明するための部品図。
【図８】同第１実施例の製作方法を説明するための部品図。
【図９】同第１実施例の製作方法を説明するための部品図。
【図１０】（Ａ）は大径の有底紙管の斜視図、（Ｂ）は同断面図。
【図１１】（Ａ）は円筒状部材組付け時の斜視図、（Ｂ）は同断面図。
【図１２】（Ａ）（Ｂ）は円筒状部材組付け時の斜視図。
【図１３】（Ａ）（Ｂ）は図１２の次段の組付け時の斜視図。
【図１４】図１３の次段の組付け時の斜視図。
【図１５】図１４の次段の組付け時の斜視図。
【図１６】図１５の次段の組付け時の斜視図。
【図１７】図１６の次段の組付け時の斜視図。
【図１８】第２実施例の基台部を示す分解斜視図。
【図１９】（Ａ）（Ｂ）は第２実施例の基台部を示す分解斜視図。
【図２０】紙管の斜視図。
【図２１】紙管の裏面方向からの斜視図。
【図２２】第２実施例の作業工程を示す概要図。
【図２３】第２実施例の次段の作業工程を示す概要図。
【図２４】第２実施例の斜視図。
【符号の説明】
【００２４】
１…生地
１ａ…円筒状部材
３，７，１７，１８…紙管
５…フェルト片
８…蓋体
９…コモ
１０…紐
１２…（造花の）松
１３，２５…飾り門松
１４…飾り物
１５…飾り人形
１６…基板
１９…防水シート
１９ａ…飾り片
２０…ウレタン樹脂
２１…作業台
２２…裏蓋
２３…植生盤
２６…生花
【図１】
2005177117.tif 000003
【図２】
2005177117.tif 000004
【図３】
2005177117.tif 000005
【図４】
2005177117.tif 000006
【図５】
2005177117.tif 000007
【図６】
2005177117.tif 000008
【図７】
2005177117.tif 000009
【図８】
2005177117.tif 000010
【図９】
2005177117.tif 000011
【図１０】
2005177117.tif 000012
【図１１】
2005177117.tif 000013
【図１２】
2005177117.tif 000014
【図１３】
2005177117.tif 000015
【図１４】
2005177117.tif 000016
【図１５】
2005177117.tif 000017
【図１６】
2005177117.tif 000018
【図１７】
2005177117.tif 000019
【図１８】
2005177117.tif 000020
【図１９】
2005177117.tif 000021
【図２０】
2005177117.tif 000022
【図２１】
2005177117.tif 000023
【図２２】
2005177117.tif 000024
【図２３】
2005177117.tif 000025
【図２４】
2005177117.tif 000026